【手続補正書】
【提出日】平成22年1月19日(2010.1.19)
【手続補正１】
【補正対象書類名】特許請求の範囲
【補正対象項目名】全文
【補正方法】変更
【補正の内容】
【特許請求の範囲】
【請求項１】
接続される機器から前記機器の構成情報を取得し、該構成情報に基づいて前記機器に応じた設定が可能な情報処理装置であって、
前記機器の機能が記述された機能ファイルを有する機能ファイル記憶手段と、
前記機器から取得した構成情報に基づいて前記機器を分類し、分類結果に応じた機能ファイルを前記機能ファイル記憶手段から読み込む機器分類読込手段と、
該機器分類読込手段により読み込まれた機能ファイルに記述された機能に係る情報を前記機器から取得する情報取得手段と、
該情報取得手段により取得された情報に基づいて、前記機器に関する所定の設定をするための設定画面を表示する表示手段とを有することを特徴とする情報処理装置。
【請求項２】
前記機能ファイル記憶手段は、
同じ機種の機器に共通する機能が記述された第１の機能ファイルと、
前記機器の機種とは無関係に、同一ベンダーの機器に共通する機能が記述された第２の機能ファイルと、
前記機器の機種及びベンダーとは無関係に、全ての機器に共通する機能が記述された第３の機能ファイルとを有することを特徴とする請求項１記載の情報処理装置。
【請求項３】
前記機器分類読込手段は、
前記機器から取得した構成情報に基づいて、前記機器を、既知の機器、未知であり前記同一ベンダーによる機器、又は、未知であり前記同一ベンダーを除く他のベンダーによる機器のうちいずれかに分類し、
前記機器が既知の機器であると分類される場合には、前記機能ファイル記憶手段から前記第１の機能ファイルを読み込み、
前記機器が未知であり前記同一ベンダーによる機器であると分類される場合には、前記機能ファイル記憶手段から前記第２の機能ファイルを読み込み、
前記機器が未知であり前記同一ベンダーを除く他のベンダーによる機器であると分類される場合には、前記機能ファイル記憶手段から前記第３の機能ファイルを読み込むことを特徴とする請求項２記載の情報処理装置。
【請求項４】
前記機器から取得した構成情報は、前記機器の機種特定情報及び／又はベンダー情報を含むことを特徴とする請求項１乃至３のうちいずれか一項記載の情報処理装置。
【請求項５】
前記機器から取得した構成情報は、前記機器の作動に係る作動情報を更に含み、
前記機器分類読込手段は、前記作動情報に基づいて、当該情報処理装置が、前記機器が処理可能な形式のデータを生成できるか判断することを特徴とする請求項４記載の情報処理装置。
【請求項６】
前記作動情報は、前記機器が処理可能なデータの記述形式の情報であることを特徴とする請求項５記載の情報処理装置。
【請求項７】
前記既知の機器、前記未知であり前記同一ベンダーによる機器、及び前記未知であり前記同一ベンダーを除く他のベンダーによる機器に対して共通に接続可能とするための通信情報が設定された通信手段を更に有することを特徴とする請求項３記載の情報処理装置。
【請求項８】
前記機能ファイル記憶手段は、当該情報処理装置の外部及び／又は内部に配置されることを特徴とする請求項１記載の情報処理装置。
【請求項９】
前記機能ファイル記憶手段は、当該情報処理装置が読み取り可能な記録媒体であることを特徴とする請求項１記載の情報処理装置。
【請求項１０】
接続される機器から前記機器の構成情報を取得し、該構成情報に基づいて前記機器に応じた設定が可能な情報処理装置を、
前記機器から取得した構成情報に基づいて前記機器を分類し、分類結果に応じて、前記機器の機能が記述された機能ファイルを読み込む機器分類読込手段、
該機器分類読込手段により読み込まれた機能ファイルに記述された機能に係る情報を前記機器から取得する情報取得手段、及び
該情報取得手段により取得された情報に基づいて、前記機器に関する所定の設定をするための設定画面を表示する表示手段として機能させるためのプログラム。
【請求項１１】
前記機能ファイルは、
同じ機種の機器に共通する機能が記述された第１の機能ファイルと、
前記機器の機種とは無関係に、同一ベンダーの機器に共通する機能が記述された第２の機能ファイルと、
前記機器の機種及びベンダーとは無関係に、全ての機器に共通する機能が記述された第３の機能ファイルとを有することを特徴とする請求項１０記載のプログラム。
【請求項１２】
前記機器分類読込手段は、
前記機器から取得した構成情報に基づいて、前記機器を、既知の機器、未知であり前記同一ベンダーによる機器、又は、未知であり前記同一ベンダーを除く他のベンダーによる機器のうちいずれかに分類し、
前記機器が既知の機器であると分類される場合には、前記第１の機能ファイルを読み込み、
前記機器が未知であり前記同一ベンダーによる機器であると分類される場合には、前記第２の機能ファイルを読み込み、
前記機器が未知であり前記同一ベンダーを除く他のベンダーによる機器であると分類される場合には、前記第３の機能ファイルを読み込むことを特徴とする請求項１１記載のプログラム。
【請求項１３】
前記機器から取得した構成情報は、前記機器の機種特定情報及び／又はベンダー情報を含むことを特徴とする請求項１０乃至１２のうちいずれか一項記載のプログラム。
【請求項１４】
前記機器から取得した構成情報は、前記機器の作動に係る作動情報を更に含み、
前記機器分類読込手段は、前記作動情報に基づいて、当該情報処理装置が、前記機器が処理可能な形式のデータを生成できるかを判断することを特徴とする請求項１３記載のプログラム。
【請求項１５】
前記作動情報は、前記機器が処理可能なデータの記述形式の情報であることを特徴とする請求項１４記載のプログラム。
【請求項１６】
更に、当該情報処理装置を、
前記既知の機器、前記未知であり前記同一ベンダーによる機器、及び前記未知であり前記同一ベンダーを除く他のベンダーによる機器に対して共通に接続可能とするための通信情報が設定された通信手段として機能させる請求項１２記載のプログラム。
【請求項１７】
前記機器分類読込手段は、当該情報処理装置の外部及び／又は内部に配置された記憶手段、あるいはコンピュータ読み取り可能な記録媒体から、前記機能ファイルを読み込むことを特徴とする請求項１０記載のプログラム。
【請求項１８】
請求項１０乃至１７のうちいずれか一項記載のプログラムを記録したコンピュータ読み取り可能な記録媒体。
【請求項１９】
接続される機器から前記機器の構成情報を取得し、該構成情報に基づいて前記機器に応じた設定を行う方法であって、
前記機器から取得した構成情報に基づいて前記機器を分類し、分類結果に応じて、前記機器の機能が記述された機能ファイルを読み込む機器分類読込ステップと、
該機器分類読込ステップで読み込まれた機能ファイルに記述された機能に係る情報を前記機器から取得する情報取得ステップと、
該情報取得ステップで取得された情報に基づいて、前記機器に関する所定の設定をするための設定画面を表示する設定画面表示ステップとを有することを特徴とする方法。
【請求項２０】
前記機能ファイルは、
同じ機種の機器に共通する機能が記述された第１の機能ファイルと、
前記機器の機種とは無関係に、同一ベンダーの機器に共通する機能が記述された第２の機能ファイルと、
前記機器の機種及びベンダーとは無関係に、全ての機器に共通する機能が記述された第３の機能ファイルとを含むことを特徴とする請求項１９記載の方法。
【請求項２１】
前記機器分類読込ステップは、
前記機器から取得した構成情報に基づいて、前記機器を、既知の機器、未知であり前記同一ベンダーによる機器、又は、未知であり前記同一ベンダーを除く他のベンダーによる機器のうちいずれかに分類し、
前記機器が既知の機器であると分類される場合には、前記第１の機能ファイルを読み込み、
前記機器が未知であり前記同一ベンダーによる機器であると分類される場合には、前記第２の機能ファイルを読み込み、
前記機器が未知であり前記同一ベンダーを除く他のベンダーによる機器であると分類される場合には、前記第３の機能ファイルを読み込むことを特徴とする請求項２０記載の方法。
【請求項２２】
前記機器から取得した構成情報は、前記機器の機種特定情報及び／又はベンダー情報を含むことを特徴とする請求項１９乃至２１のうちいずれか一項記載の方法。
【請求項２３】
前記機器分類読込ステップは、当該情報処理装置の外部及び／又は内部に配置された記憶手段、あるいはコンピュータ読み取り可能な記録媒体から、前記機能ファイルを読み込むことを特徴とする請求項１９記載の方法。
【請求項２４】
情報処理装置と機器とが通信可能なように接続され、前記情報処理装が前記機器から前記機器の構成情報を取得し、該構成情報に基づいて前記機器に応じた設定を行う情報処理システムであって、
前記情報処理装置は、
前記機器の機能が記述された機能ファイルを有する機能ファイル記憶手段と、
前記機器から取得した構成情報に基づいて前記機器を分類し、分類結果に応じた機能ファイルを前記機能ファイル記憶手段から読み込む機器分類読込手段と、
該機器分類読込手段により読み込まれた機能ファイルに記述された機能に係る情報を前記機器から取得する情報取得手段と、
該情報取得手段により取得された情報に基づいて、前記機器に関する所定の設定をするための設定画面を表示する表示手段とを有し、
前記機器は、
前記機器の構成情報と、前記機器が実行可能な機能に係る情報とを有する構成情報記憶手段と、
前記情報処理装置の要求に応じて、該構成情報記憶手段から前記構成情報又は前記機器が実行可能な機能に係る情報を取得して、前記情報処理装置へ送る構成情報送信手段とを有することを特徴とする情報処理システム。
【請求項２５】
請求項1乃至９のうちいずれか一項記載の情報処理装置から送信される印刷データを印刷することを特徴とする機器。